(57)【要約】【課題】  本考案は、家庭用ゴミのゴミ袋集積場所に設置され、ゴミ収集車の作業員が回収しやすい構造に形成し、拡開するとゴミ袋を収容する集積空間が形成され、閉鎖するとコンパクトに折畳むことできる折畳み式ゴミ収納装置に関する。【解決手段】  本考案の折畳み式ゴミ収納装置は、２本の垂直柱１と該垂直柱１の先端同士を連結する水平桟２とからなる垂直に立設するゲート型の固定枠３と、長辺と短辺とからなる長方形状をなし、前記固定枠３の垂直柱１の下端が長辺の両端に固定されて地面に載置される載置枠４と、前記固定枠３より高さを高くし、前記固定枠３と同一のゲート型をなし、垂直柱１の下端が前記載置枠４の短辺の中間に揺動自在に固定された可動枠５と、前記固定枠３及び可動枠５の外周囲を覆うネット６とから構成される。【選択図】  図１
0003109479.tif 000002
【実用新案登録請求の範囲】
【請求項１】
２本の垂直柱と該垂直柱の先端同士を連結する水平桟とからなる垂直に立設するゲート型の固定枠と、長辺と短辺とからなる長方形状をなし、前記固定枠の垂直柱の下端が長辺の両端に固定されて地面に載置される載置枠と、前記固定枠より高さを高くし、前記固定枠と同一のゲート型をなし、垂直柱の下端が前記載置枠の短辺の中間に揺動自在に固定された可動枠と、前記固定枠及び可動枠の外周囲を覆い、下端周縁に金属製チェーンを固定されたネットとから構成されることを特徴とする折畳み式ゴミ収納装置。
【請求項２】
前記可動枠の拡開範囲は、前記固定枠と前記可動枠とを結ぶ開口紐により制限されることを特徴とする請求項１記載の折畳み式ゴミ収納装置。
【考案の詳細な説明】
【技術分野】
【０００１】
本考案は、家庭用ゴミのゴミ袋集積場所に設置され、拡開するとゴミ袋を収容する集積空間が形成され、閉鎖するとコンパクトに折畳むことできる折畳み式ゴミ収納装置に関する。
【背景技術】
【０００２】
従来、簡単にごみ収集ネットの開閉ができ、更に持ち運びが容易にできるようにしたコンパクトな折畳み式のごみ収納装置は知られている。
上記公知のごみ収納装置は、立設された固定枠体と、該固定枠体に対して一対の軸を中心に回動して開閉可能に設けられた可動枠体と、固定枠体と可動枠体との間に介在し、且つ各軸に両端を軸支された複数の骨材と、可動枠体が固定枠体に対して略直角となる位置にて張架し、且つ固定枠体と可動枠体との間に各骨材を所定の角度で配置するように取り付けたネットとを備えたものである（特許文献１を参照）。
そして、固定枠体に対して可動枠体を開いた際に、ネット内の固定枠体と各骨材と可動枠体とで囲まれた空間内にごみを収納するとともに、可動枠体を閉じた際に、固定枠体と可動枠体とを合わせて、空間内に置かれたごみを収集可能としたものである。
【特許文献１】特開２００２−１１４３０９号公報
【考案の開示】
【考案が解決しようとする課題】
【０００３】
本考案は、家庭用ゴミのゴミ袋集積場所に設置され、ゴミ収集車の作業員が回収しやすい構造に形成し、拡開するとゴミ袋を収容する集積空間が形成され、閉鎖するとコンパクトに折畳むことできる折畳み式ゴミ収納装置に関する。
【課題を解決するための手段】
【０００４】
本考案の折畳み式ゴミ収納装置は、２本の垂直柱と該垂直柱の先端同士を連結する水平桟とからなる垂直に立設するゲート型の固定枠と、長辺と短辺とからなる長方形状をなし、前記固定枠の垂直柱の下端が長辺の両端に固定されて地面に載置される載置枠と、前記固定枠より高さを高くし、前記固定枠と同一のゲート型をなし、垂直柱の下端が前記載置枠の短辺の中間に揺動自在に固定された可動枠と、前記固定枠及び可動枠の外周囲を覆い、下端周縁に金属製チェーンを固定されたネットとから構成される。
【考案の効果】
【０００５】
本考案は、家庭用ゴミのゴミ袋集積場所に設置され、ゴミ収集車の作業員が回収しやすい構造に形成し、拡開するとゴミ袋を収容する集積空間が形成され、閉鎖するとコンパクトに折畳むことできる。
【考案を実施するための最良の形態】
【０００６】
本考案の折畳み式ゴミ収納装置の一実施例を図面に基づいて、以下に説明する。
本考案の折畳み式ゴミ収納装置は、図１の折り畳んだ状態の正面図に示すように、２本の垂直柱１と該垂直柱１の先端同士を連結する水平桟２とからなる垂直に立設するゲート型の固定枠３と、長辺と短辺とからなる長方形状をなし、前記固定枠３の垂直柱１の下端が長辺の両端に固定されて地面に載置される載置枠４（図２に上方の長方形で示す。）と、前記固定枠３より高さを高くし、前記固定枠３と同一のゲート型をなし、垂直柱１の下端が前記載置枠４の短辺の中間に揺動自在に固定された可動枠５と、前記固定枠３及び可動枠５の外周囲を覆うネット６とから構成される。
前記固定枠３は、金属製又はプラスチック製の円筒体から形成され、前記垂直柱１と水平桟２とを直角管継手７により直角に連結し、垂直に立設するゲート型に形成される。
前記載置枠４は、金属製又はプラスチック製の円筒体から形成され、図３に示すように長辺と短辺との連結個所には前記直角管継手７が使用されるが、前記固定枠３が立設される長辺と短辺との連結個所には三方管継手８が用いられて、水平に長辺と短辺が連結され、垂直に垂直柱１がそれぞれ連結される。
前記可動枠５は、金属製又はプラスチック製の円筒体から形成され、垂直柱１の下端には、雌継手９が接続され、前記載置枠４の短辺に接続された雄継手１０と雌継手９が前後揺動自在に連結される。
【０００７】
前記ネット６は、プラスチック製の適宜の網目大きさを有する蚊帳状構造からなり、前記ネット６の下端は、凸部を有する切欠き筒体のネット保持具１１により載置枠４の固定枠３側の長辺にネット網目に前記ネット保持具１１の凸部を嵌合して載置枠４に取付けられる。
また、前記ネット６の可動枠５側の下端は、自由端とし、図１に示すように取付紐１２を利用してネット網目と金属製チェーン１３の輪を交互に縫うように前記取付紐１２を通してネット６下端に金属製チェーン１３を固定する。
前記金属製チェーン１３は、錘の役目をし、ネット６を常に緊張状態に張り、前記可動枠５を拡開状態に前方に倒した時には、地面に接地して地面との隙間をなくす役目をする。
また、前記ネット６の天面には、図２の平面図に示すようにネット６の網目を縫うように通した開口紐１４により固定枠３と可動枠５とを結び、前記可動枠５の移動範囲を制限する。
そして、可動枠５を拡開状態に前方に倒した時に、ゴミ袋投入口が形成されるようにほぼ載置枠４の２倍の大きさの開口を前記開口紐１４の内側に切取りにより形成する。
また、図４に示すように、前記ゴミ袋投入口を被う広さの蓋ネット１５の固定枠側を縫着し、反対側に金属製チェーン等を取り付けて、前記ゴミ袋投入口を開閉自在に覆うようにする。
なお、前記ネット６においては、固定枠３の水平桟２及び可動枠５の水平桟２との固定は、直接固定紐等で結束しても良いし、前記ネット保持具１１を使用して固定しても良い。
【０００８】
次に、本考案の折畳み式ゴミ収納装置の動作について、図面に基づいて以下に説明する。
家庭用ゴミの回収日でない時は、図１に示すように、ゴミ袋集積場所に置かれた折畳み式ゴミ収納装置は、固定枠３を路肩側に可動枠５を道路側にして折畳まれてコンパクトな形状となっており、図３のネット６を除いた側面図に示すように、可動枠５は雌継手９と雄継手１０により前後揺動自在に連結されているので、図１に示すように前記可動枠５は固定枠３に持たれ掛かった状態にして支持されている。
そして、ゴミ回収日には、可動枠５が固定枠３より高く形成されているので、可動枠５の水平桟２を掴み、可動枠５を手前側に倒すことにより、図４の側面図に示すように拡開されてゴミ袋が投入可能となる。
すなわち、前記可動枠５を手前側に引き倒すと、可動枠５が前方に倒れて来るが、固定枠３の水平桟２と可動枠の水平桟２と間には開口紐１４が連結されているので、可動枠５は開口紐１４の長さで図２に示すほぼ載置枠４の２倍の幅位置で停止する。
この時、すなわちネット６を拡開状態にした時、前記ネット６下端に固定された金属製チェーン１３は、地面に接地し、地面とのネット６との隙間を埋めている。
なお、図１に示すように折り畳んだ状態では、金属製チェーン１３は地面から離れた状態でネット６にぶら下がっている。
【０００９】
一方、ネット６上部は、図２の平面図に示すように、固定枠３、可動枠５、開口紐１４に囲まれた矩形状のゴミ袋投入口が形成されると共に蓋ネット１５で覆われている。
したがって、家庭用ゴミのゴミ袋は、前記蓋ネット１５を持ち上げ、矩形状のゴミ袋投入口から投入することができ、投入されたゴミ袋は地面に堆積される。
その際、ネット６側に崩れたゴミ袋は、ネット６下端周縁に金属製チェーン１３が廻らされているので、金属製チェーン１３の重みでネット６から外側へはみ出すことはない。
その後に回収に来たゴミ収集車の作業員は、可動枠５の水平桟２を掴み、持ち上げて図３に示す位置まで可動枠５を倒すと、可動枠５の重心は固定枠３側に来るので、可動枠５は固定枠３に持たれ掛かった状態で支持され、可動枠５は再び戻ることはない。
そのため、集積されたゴミ袋は全てが露出されるので、ゴミ収集車の作業員はネット６に邪魔されずにゴミ袋をゴミ収集車に積載することができる。
【図面の簡単な説明】
【００１０】
【図１】本考案の折畳み式ゴミ収納装置の折り畳んだ状態の正面図である。
【図２】本考案の折畳み式ゴミ収納装置の拡開した状態の平面図である。
【図３】本考案の折畳み式ゴミ収納装置の折り畳んだ状態のネットを省略した側面図である。
【図４】本考案の折畳み式ゴミ収納装置の拡開した状態の一部省略側面図である。
【符号の説明】
【００１１】
１  垂直柱
２  水平桟
３  固定枠
４  載置枠
５  可動枠
６  ネット
７  直角管継手
８  三方管継手
９  雌継手
１０  雄継手
１１  ネット保持具
１２  取付紐
１３  金属製チェーン
１４  開口紐
１５  蓋ネット
【図１】
0003109479.tif 000003
【図２】
0003109479.tif 000004
【図３】
0003109479.tif 000005
【図４】
0003109479.tif 000006